(57)【要約】【課題】新たな部品を設置せず、且つ、対象者に決められた行動を強いることなく、異常行動症状を監視することができる異常行動症状監視システムを提供する。【解決手段】入浴者が浴室リモコン１２を操作して、風呂設定温度での湯はり運転を実行すると、風呂設定温度、操作日時、及び操作内容を含む操作データが、外部ネットワークＮＷを介して解析サーバ５に送信される。解析サーバ５のサーバ用解析部４２は、受信した新たな操作データを解析して、正常であるか否かを判定する。サーバ用解析部４２により、新たな操作データが異常であると判定された場合、通信機器３７の表示部３７ａに、操作データが異常であり、異常行動症状の発現の可能性があることを示すコメントを表示する。【選択図】図３
2019015415.tif 000002
【特許請求の範囲】
【請求項１】
対象者の異常行動症状を監視する異常行動症状監視システムであって、
前記対象者が使用する住宅設備機器と、前記対象者の関係者が使用する外部通信機器と、前記住宅設備機器及び前記外部通信機器と外部ネットワークを介して通信可能なサーバとを備えており、
前記住宅設備機器は、該住宅設備機器の操作部の操作履歴を示す操作情報を前記サーバに送信する機能を有するように構成されており、
前記サーバは、前記住宅設備機器から受信した前記操作情報を記憶する第１記憶手段と、前記第１記憶手段に記憶された前記操作情報を解析することにより、前記住宅設備機器の操作部の操作が正常に行われているか否かを判定する第１解析手段と、前記第１解析手段により前記住宅設備機器の操作部の操作が正常でないと判定された場合に、前記対象者の異常行動症状の発現の可能性があることを示す異常信号を、前記外部ネットワークを介して前記外部通信機器に送信する制御手段とを有するように構成されていることを特徴とする異常行動症状監視システム。
【請求項２】
請求項１に記載の異常行動症状監視システムにおいて、
前記住宅設備機器は、前記操作情報を記憶する第２記憶手段と、前記第２記憶手段に記憶された前記操作情報を解析することにより、前記住宅設備機器の操作部の操作が正常に行われているか否かを判定する第２解析手段と、前記第２解析手段により前記住宅設備機器の操作部の操作が正常でないと判定された場合に、その旨を示す報知出力を前記対象者に対して発生する報知手段とを備えるように構成されていることを特徴とする異常行動症状監視システム。
【発明の詳細な説明】
【技術分野】
【０００１】
本発明は、異常行動症状を監視する異常行動症状監視システムに関する。
【背景技術】
【０００２】
近年、認知症等の異常行動症状を監視する技術が提案されている。特許文献１に記載の認知症初期状態見極めシステムでは、居宅に配置されたスイッチ手段が対象者により操作されると、操作が行われたことを、ネットワークを介して監視手段に送信する。そして、監視手段は、スイッチ手段の日常の操作状況の傾向に基づいて、日常の操作傾向と異なる操作を発見することで対象者の認知症を見極める。
【０００３】
特許文献２に記載の認知症診断支援システムでは、予め対象者のスケジュールを記憶し、この記憶されたスケジュールと、行動検知部により検知された対象者の行動とを比較することで、認知症を診断している。
【０００４】
特許文献３に記載の認知症リスク判定システムでは、対象者の睡眠時の生体データを、生体データ検出センサにより取得し、取得した生体データから、対象者の睡眠の深さ及び体動変化を含む睡眠データを生成し、生成した睡眠データに基づいて認知症のリスクを判定している。
【先行技術文献】
【特許文献】
【０００５】
【特許文献１】特開２０１４−０１８３４１号公報
【特許文献２】特開２０１６−２２１０８７号公報
【特許文献３】特開２０１６−０２２３１０号公報
【発明の概要】
【発明が解決しようとする課題】
【０００６】
特許文献１では、対象者がスイッチ手段を操作することで、認知症を見極めることができるが、スイッチ手段を操作することを対象者に強いており、対象者にとっては煩わしいものであった。さらに、スイッチ手段を新たに設置する必要があり、コストがかかる。同様に、特許文献３では、生体センサを新たに設置する必要があり、コストがかかる。
【０００７】
特許文献２では、認知症と判断されないためには、予め記憶したスケジュール通りに行動することを対象者に強いており、対象者にとっては煩わしいものであった。
【０００８】
本発明はかかる背景に鑑みてなされたものであり、新たな部品を設置せず、且つ、対象者に決められた行動を強いることなく、異常行動症状を監視することができる異常行動症状監視システムを提供することを目的とする。
【課題を解決するための手段】
【０００９】
本発明の異常行動症状監視システムは、対象者の異常行動症状を監視する異常行動症状監視システムであって、前記対象者が使用する住宅設備機器と、前記対象者の関係者が使用する外部通信機器と、前記住宅設備機器及び前記外部通信機器と外部ネットワークを介して通信可能なサーバとを備えており、前記住宅設備機器は、該住宅設備機器の操作部の操作履歴を示す操作情報を前記サーバに送信する機能を有するように構成されており、前記サーバは、前記住宅設備機器から受信した前記操作情報を記憶する第１記憶手段と、前記第１記憶手段に記憶された前記操作情報を解析することにより、前記住宅設備機器の操作部の操作が正常に行われているか否かを判定する第１解析手段と、前記第１解析手段により前記住宅設備機器の操作部の操作が正常でないと判定された場合に、前記対象者の異常行動症状の発現の可能性があることを示す異常信号を、前記外部ネットワークを介して前記外部通信機器に送信する制御手段とを有するように構成されていることを特徴とする。
【００１０】
本発明によれば、住宅設備機器の操作部の操作履歴を示す操作情報を解析することにより、住宅設備機器の操作部の操作が正常であるか否かを判定し、正常でないと判定された場合に、対象者の異常行動症状の発現の可能性があることを示す異常信号を外部通信機器に送信するので、外部通信機器の所有者であり、対象者の関係者は、異常信号を外部通信機器で受信した場合には、対象者の異常行動症状の発現の可能性があることを知ることができる。
【００１１】
また、前記住宅設備機器は、前記操作情報を記憶する第２記憶手段と、前記第２記憶手段に記憶された前記操作情報を解析することにより、前記住宅設備機器の操作部の操作が正常に行われているか否かを判定する第２解析手段と、前記第２解析手段により前記住宅設備機器の操作部の操作が正常でないと判定された場合に、その旨を示す報知出力を前記対象者に対して発生する報知手段とを備えるように構成されていることが好ましい。
【００１２】
この構成によれば、住宅設備機器の操作部の操作履歴を示す操作情報を解析することにより、住宅設備機器の操作部の操作が正常であるか否かを判定し、正常でないと判定された場合に、その旨を示す報知出力を対象者に対して発生するので、対象者は、操作情報が正常でないことを知ることができる。
【図面の簡単な説明】
【００１３】
【図１】本発明の一実施形態の異常行動症状監視システムの全体構成を概略的に示す図。
【図２】操作履歴データを示す図。
【図３】異常行動症状監視システムの制御処理を示すフローチャート。
【発明を実施するための形態】
【００１４】
図１に示すように、本発明の異常行動症状監視システム２は、浴室の浴槽（図示せず）の湯はり、追焚き等を行う風呂運転と、浴室及び台所等の給湯箇所への給湯を行う給湯運転とを実行可能な風呂給湯装置３（住宅設備機器）を備える。
【００１５】
また、異常行動症状監視システム２は、公衆通信網から構成される外部ネットワークＮＷ（インターネット）を介して、風呂給湯装置３の台所リモコン１３に接続される解析サーバ５を備える。
【００１６】
風呂給湯装置３は、熱源機１１と、浴室に設置され、風呂給湯装置３の運転操作を入浴者が行うための浴室リモコン１２と、浴室以外の箇所、例えば台所に設置され、風呂給湯装置３の運転操作を入浴者が行うための台所リモコン１３とを備える。
【００１７】
浴室リモコン１２又は台所リモコン１３を操作することによって、風呂給湯装置３の各運転の実行指示、入浴者が希望する給湯温度あるいは浴槽内の湯温（風呂温度）の設定等を行うことが可能である。以下では、風呂温度の設定値を風呂設定温度と称する。
【００１８】
なお、風呂給湯装置３は、浴室リモコン１２及び台所リモコン１３以外の他の給湯・風呂運転用リモコンをさらに備えていてもよい。
【００１９】
熱源機１１は、例えば、公知の構成のガス燃焼式の熱源機であり、図示を省略するバーナ（燃焼式加熱源）及び熱交換器等が搭載されている。
【００２０】
熱源機１１は、熱源機１１の作動制御を行う熱源機用マイコン１６と、風呂給湯装置３の運転操作情報を解析する熱源機用解析部１７（第２解析手段）と、風呂給湯装置３の操作データを記憶する熱源機用データベース１８（第２記憶手段）とを備える。以下では、データベースをＤＢと称する。
【００２１】
さらに、熱源機１１には、該熱源機１１内に水道水等の給湯用水を導入する給水管と、熱源機１１内で加熱した給湯用水（湯）を台所、浴室等の給湯箇所に供給する給湯管とが接続されていると共に、浴槽との間で温水を流通させる２本の浴槽配管（いずれも図示せず）が接続されている。
【００２２】
そして、熱源機１１は、給湯運転時に、給水管から供給される給湯用水をバーナの燃焼熱により熱交換器を介して加熱しつつ、加熱した給湯用水（湯）を、台所や浴室等の給湯箇所に給湯管を介して供給するという運転動作、浴槽の湯はり運転時に、給水管から供給される給湯用水をバーナの燃焼熱により熱交換器を介して加熱しつつ、加熱した給湯用水（湯）を、浴槽に２本の浴槽配管の一方もしくは両方を介して供給するという運転動作、浴槽の追焚き運転時に、浴槽との間で２本の浴槽配管を介して温水を循環させつつ、該温水をバーナの燃焼熱により熱交換器を介して加熱するという運転動作等を実行可能である。
【００２３】
熱源機１１の熱源機用マイコン１６は、浴室リモコン１２及び台所リモコン１３と通信可能となるように有線接続されている。熱源機用マイコン１６は、実装されたハードウェア構成及びプログラム（ソフトウェア構成）により実現される機能によって、浴室リモコン１２又は台所リモコン１３から与えられる運転指示データ等に応じて、熱源機１１の作動制御を行う。
【００２４】
なお、熱源機１１の熱源機用マイコン１６と浴室リモコン１２及び台所リモコン１３との間の通信を、無線により行うようにしてもよい。
【００２５】
浴室リモコン１２は、温度等の各種設定を行うための複数の操作ボタンから構成される浴室用操作部２１と、浴室リモコン１２を制御する浴室用マイコン２２と、表示部２３（報知手段）と、スピーカ２４（報知手段）とを備える。
【００２６】
入浴者（ユーザ）が浴室用操作部２１を操作して所定データ（風呂設定温度等）を入力すると、その操作データ（操作日時、操作内容）は浴室用マイコン２２に送信される。浴室用マイコン２２は、受信した操作データに基づいて、表示部２３に風呂設定温度を表示し、スピーカ２４に音声信号を送信し、スピーカ２４から音声（例えば、風呂設定温度）を出力させる。これにより、入浴者は、風呂設定温度を確認することができる。なお、浴室用マイコン２２は、台所リモコン１３から操作データを受信した場合にも、同様の報知制御を行う。
【００２７】
また、浴室リモコン１２は、操作データを熱源機１１の熱源機用マイコン１６及び台所リモコン１３に送信する。熱源機用マイコン１６は、受信した操作データに基づいて熱源機１１を駆動する。
【００２８】
台所リモコン１３は、温度等の各種設定を行うための複数の操作ボタンから構成される台所用操作部３１と、台所リモコン１３を制御する台所用マイコン３２と、表示部３３（報知手段）と、スピーカ３４（報知手段）とを備える。
【００２９】
入浴者が台所用操作部３１を操作して所定データ（風呂設定温度等）を入力すると、その操作データ（操作日時、操作内容）は台所用マイコン３２に送信される。台所用マイコン３２は、受信した操作データに基づいて、表示部３３に風呂設定温度を表示し、スピーカ３４に音声信号を送信し、スピーカ３４から音声（例えば、風呂設定温度）を出力させる。これにより、入浴者は、風呂設定温度を確認することができる。なお、台所用マイコン３２は、浴室リモコン１２から操作データを受信した場合にも、同様の報知制御を行う。
【００３０】
また、台所リモコン１３は、操作データを熱源機１１の熱源機用マイコン１６及び浴室リモコン１２に送信する。熱源機用マイコン１６は、受信した操作データに基づいて熱源機１１を駆動する。
【００３１】
台所リモコン１３は、外部ネットワークＮＷを介して、解析サーバ５と、入浴者を監視する監視者（対象者の関係者）の通信機器３７とに接続されている。通信機器３７は、例えばタブレット端末により構成され、表示部３７ａと、スピーカ３７ｂとを備える。
【００３２】
図２に示すように、熱源機用マイコン１６は、受信した操作データを操作履歴データとして熱源機用ＤＢ１８に記憶する。操作履歴データは、Ｎｏ、日付、時間、操作内容を含み、所定日数（例えば、８日）分の操作データ（新たな操作データと過去１週間分の操作データ）から構成される。
【００３３】
熱源機用マイコン１６は、新たな操作データを受信すると、操作履歴データを更新する。この更新により、ＮＯ．８である最も古い操作データが削除され、ＮＯ．１〜ＮＯ．７の操作データがＮＯ．２〜ＮＯ．８にシフトされ、新たな操作データがＮＯ．１として記憶される。
【００３４】
熱源機用解析部１７は、新たな操作データを受信すると、その操作データを解析して、正常であるか否かを判定する。この解析として、例えば、熱源機用解析部１７は、図２の新たな操作データ（ＮＯ．１）の湯はり開始時間が、図２の過去１週間分の操作データ（ＮＯ．２〜ＮＯ．８）のうちの最も早い時間の所定時間（例えば、６０分）前の時間と、図２の過去１週間分の操作データのうちの最も遅い時間の所定時間（例えば、６０分）後の時間との間の範囲（以下、正常範囲と称する）内である場合には、新たな操作データは正常であると判定する。
【００３５】
一方、新たな操作データの湯はり開始時間が正常範囲外である場合には、熱源機用解析部１７は、新たな操作データは異常であると判定する。
【００３６】
図１に示すように、解析サーバ５は、熱源機１１と、熱源機１１を統括的に制御するサーバ用マイコン４１と、風呂給湯装置３の操作データを解析するサーバ用解析部４２（第１解析手段）と、風呂給湯装置３の操作データを記憶するサーバ用ＤＢ４３（第１記憶手段）とを備える。なお、サーバ用解析部４２は、熱源機用解析部１７に比べて処理能力が高く、サーバ用ＤＢ４３は、熱源機用ＤＢ１８に比べて記憶容量が大きい。
【００３７】
サーバ用マイコン４１は、台所リモコン１３から受信した操作データを、図２と同様の操作履歴データとしてサーバ用ＤＢ４３に記憶する。サーバ用解析部４２は、新たな操作データを受信すると、その操作データを解析して、正常であるか否かを判定する。この解析として、例えば、サーバ用解析部４２は、新たな操作データの湯はり開始時間が、過去の全て（例えば、設置後１年経過の場合、１年間分）の操作データの平均時間の所定時間（例えば、６０分）前後の間の範囲（以下、サーバ用正常範囲と称する）内である場合には、新たな操作データは正常であると判定する。なお、サーバ用ＤＢ４３は、熱源機用ＤＢ１８（８日間分の操作データを記憶）に比べて記憶容量が大きいので、大量のデータ（例えば１年間分の操作データ）を記憶することができる。
【００３８】
次に、図３のフローチャートを参照して、浴槽の湯はりを行う場合の異常行動症状監視システム２の作動を説明する。
【００３９】
入浴者が浴室リモコン１２を操作して、風呂設定温度での湯はり運転の実行を指示すると、熱源機１１の熱源機用マイコン１６に運転指示情報が送信され、熱源機用マイコン１６は、運転指示情報に応じて、熱源機１１の作動制御を行い、風呂設定温度での湯はり運転を実行させる（ＳＴＥＰ１で「ＹＥＳ」）。
【００４０】
風呂設定温度での湯はり運転が実行される（ＳＴＥＰ１で「ＹＥＳ」）と、浴室リモコン１２は、風呂設定温度、操作日時、及び操作内容を含む操作データを熱源機１１及び台所リモコン１３に送信し、台所リモコン１３は、受信した操作データを、外部ネットワークＮＷを介して解析サーバ５に送信する（ＳＴＥＰ２）。
【００４１】
一方、風呂設定温度での湯はり運転が実行されていない場合（ＳＴＥＰ１で「ＮＯ」）、再びＳＴＥＰ１を行う。
【００４２】
熱源機１１の熱源機用マイコン１６は、受信した操作データを熱源機用ＤＢ１８に記憶する（ＳＴＥＰ３）。本実施形態では、新たに記憶した操作データは、図２の操作履歴データベースのＮＯ．１のデータ（日付：２０１７．０６．０８、時間：９：５０、操作内容：４１°Ｃの湯はり開始）である。
【００４３】
熱源機１１の熱源機用解析部１７は、熱源機用ＤＢ１８に記憶された操作データを解析して、新たな操作データが正常な情報であるか否かを判定する（ＳＴＥＰ４）。
【００４４】
ＳＴＥＰ４では、熱源機用解析部１７は、図２の新たな操作データ（ＮＯ．１）の湯はり開始時間（９：５０）が、図２の過去１週間分の操作データ（ＮＯ．２〜ＮＯ．８）のうちの最も早い時間（１０：０３）の６０分前の時間（９：０３）と、図２の過去１週間分の操作データのうちの最も遅い時間（１０：５５）の６０分後の時間（１１：５５）との間の正常範囲（９：０３〜１１：５５）内である場合には、新たな操作データは正常であると判定する。
【００４５】
一方、熱源機用解析部１７は、新たな操作データの湯はり開始時間が正常範囲（９：０３〜１１：５５）外である場合には、新たな操作データは異常であると判定する。例えば、新たな操作データの湯はり開始時間が、８：３０や１２：２０の場合には、新たな操作データは異常であると判定する。
【００４６】
風呂給湯装置３の熱源機用解析部１７により、新たな操作データが正常であると判定された場合（ＳＴＥＰ５で「ＹＥＳ」）、処理を終了する。
【００４７】
一方、風呂給湯装置３の熱源機用解析部１７により、新たな操作データが異常であると判定された場合（ＳＴＥＰ５で「ＮＯ」）、風呂給湯装置３の熱源機用マイコン１６は、新たな操作データが異常であることを示す操作異常信号を浴室リモコン１２及び台所リモコン１３に送信する。
【００４８】
浴室リモコン１２は、受信した操作異常信号に応じて、異常な操作であることを示すコメント（例えば、「異常な操作です」）を表示部２３に表示し、異常な操作であることを示す音声をスピーカ２４かを出力させる（ＳＴＥＰ６）。
（ＳＴＥＰ６）。
【００４９】
また、ＳＴＥＰ６では、台所リモコン１３は、受信した操作異常信号に応じて、異常な操作であることを示すコメント（例えば、「異常な操作です」）を表示部３３に表示し、異常な操作であることを示す音声をスピーカ３４から出力させる。これにより、入浴者は、操作が異常であることを知ることができる。なお、浴室リモコン１２の表示部２３、及び、台所リモコン１３の表示部３３には、認知症等の異常行動症状の発現の可能性があることは表示しない。これは、入浴者にショックを与えるのを防ぐためである。なお、ＳＴＥＰ３〜ＳＴＥＰ６は、行わなくてもよい。
【００５０】
一方、解析サーバ５のサーバ用マイコン４１は、受信した新たな操作データをサーバ用ＤＢ４３に記憶する（ＳＴＥＰ７）。
【００５１】
解析サーバ５のサーバ用解析部４２は、新たな操作データを解析して、正常であるか否かを判定する（ＳＴＥＰ８）。
【００５２】
ＳＴＥＰ８では、サーバ用解析部４２は、図２の新たな操作データ（ＮＯ．１）の湯はり開始時間（９：５０）が、図２の過去１年間分の操作データ（ＮＯ．２〜ＮＯ．８を含む過去１年間分）の平均時間（例えば、１０：２８）の６０分前後の間のサーバ用正常範囲（９：２８〜１１：２８）内である場合には、新たな操作データは正常であると判定する。
【００５３】
一方、サーバ用解析部４２は、新たな操作データの湯はり開始時間がサーバ用正常範囲（９：２８〜１１：２８）外である場合には、新たな操作データは異常であると判定する。例えば、新たな操作データの湯はり開始時間が、８：３０や１２：２０の場合には、新たな操作データは異常であると判定する。
【００５４】
解析サーバ５のサーバ用解析部４２により、新たな操作データが正常であると判定された場合（ＳＴＥＰ９で「ＹＥＳ」）、処理を終了する。
【００５５】
一方、解析サーバ５のサーバ用解析部４２により、新たな操作データが異常であると判定された場合（ＳＴＥＰ９で「ＮＯ」）、解析サーバ５は、新たな操作データが異常であり、認知症等の異常行動症状の発現の可能性があることを示す行動異常信号を、外部ネットワークＮＷを介して監視者の通信機器３７に送信する（ＳＴＥＰ１０）。
【００５６】
また、ＳＴＥＰ１０において、通信機器３７は、受信した行動異常信号に応じて、異常な操作であり、異常行動症状の発現の可能性があることを示すコメント（例えば、「異常な操作です、異常行動症状の発現の可能性があります」）を表示部３７ａに表示し、さらに、異常な操作であり、異常行動症状の発現の可能性があることを示す音声（例えば、「異常な操作です、異常行動症状の発現の可能性があります」）をスピーカ３７ｂから出力させる。これにより、監視者は、操作が異常であり、異常行動症状の発現の可能性があることを知ることができる。
【００５７】
なお、ＳＴＥＰ３〜ＳＴＥＰ６は行わなくてもよいとしているが、その場合のＳＴＥＰ１０を実行した後に、ＳＴＥＰ６と同様、浴室リモコン１２による操作が異常であることの報知を行ってもよい。
【００５８】
このように、浴室リモコン１２の操作データに基づいて、異常行動症状を監視することができるので、新たな部品を設置せず、且つ、対象者に決められた行動を強いることなく、異常行動症状を監視することができる。
【００５９】
また、サーバ用ＤＢ４３は、熱源機用ＤＢ１８に比べて記憶容量が大きいので、大量のデータを記憶することができる。さらに、サーバ用解析部４２は、熱源機用解析部１７に比べて処理能力が高い。これにより、解析サーバ５では、熱源機１１に比べて高度な検索を行うことができ、精度よく異常の判定を行うことができる。
【００６０】
なお、上記実施形態では、風呂給湯装置の操作データが正常であるか否かを解析・判定しているが、住宅設備機器であれば実施可能であり、例えば、ガスコンロやガス衣類乾燥機等の操作データ（例えば、１日における使用開始時間や、１日における操作回数等）が正常であるか否かを解析・判定してもよい。
【００６１】
上記実施形態では、浴室リモコン１２を操作して湯はりを開始した時間に基づいて、異常行動症状の発現の可能性を判定しているが、これに限らず、湯はり温度に基づいて、異常行動症状の発現の可能性を判定するようにしてもよい。さらに、追焚きを行うための操作データに基づいて、異常行動症状の発現の可能性を判定するようにしてもよい。
【００６２】
上記実施形態では、熱源機に解析部とＤＢとを設けているが、浴室リモコンや台所リモコンに解析部とＤＢとを設けるようにしてもよい。
【符号の説明】
【００６３】
２…異常行動症状監視システム、３…風呂給湯装置（住宅設備機器）、５…解析サーバ、１１…熱源機、１２…浴室リモコン、１３…台所リモコン、１６…熱源機用マイコン、１７…熱源機用解析部（第２解析手段）、１８…熱源機用ＤＢ（第２記憶手段）、２１…浴室用操作部、２２…浴室用マイコン、２３，３３…表示部（報知手段）、２４，３４…スピーカ（報知手段）、３７…通信機器（外部通信機器）、４１…サーバ用マイコン、４２…サーバ用解析部（第１解析手段）、４３…サーバ用ＤＢ（第１記憶手段）
【図１】
2019015415.tif 000003
【図２】
2019015415.tif 000004
【図３】
2019015415.tif 000005